(57)【要約】【課題】従来のように、発光素子である小さなＬＥＤのみによる装置の状態の外部通知手段では、ＬＥＤの発光部分が小さいために、装置の操作者が装置の状態を見誤るあるいは見落とすという課題を有していた。また、小さいとは言うものの、ＬＥＤの取付け部分を別途装置内に設けなくてはならないために、装置の小型化を圧迫するという課題も有していた。【解決手段】機器、装置及び担体の動作状態を液晶表示部に付与されたバックライトの発光色によって表現することにより、操作者による機器、装置の誤操作を抑制することが可能となり、さらに機器、装置の小型化にも貢献することが可能となる。【選択図】  図１
2004171347.tif 000002
【特許請求の範囲】
【請求項１】
情報を表示する表示部と、情報記録担体を検知する検知部と、前記検知部からの信号により前記表示部の表示状態を変化させる制御部とを有する情報読取書込装置。
【請求項２】
情報を表示する表示部と、情報記録担体が処理可能な情報記録担体であるか否かを判定する判定部と、前記判定部からの信号により前記表示部の表示状態を変化させる制御部とを有する情報読取書込装置。
【請求項３】
情報を表示する表示部と、情報記録担体と通信を行う通信部と、前記情報記録担体が通信可能な情報記録担体であるか否かを判定する判定部と、前記判定部からの信号により前記表示部の表示状態を変化させる制御部とを有する情報読取書込装置。
【請求項４】
情報を表示する表示部と、情報記録担体と通信を行う通信部と、前記通信部が通信している場合に前記通信部からの信号により前記表示部の表示状態を変化させる制御部とを有し、前記情報記録担体と前記通信部とが通信している間は前記表示部の表示状態を変化させる情報読取書込装置。
【請求項５】
情報を表示する表示部と、情報記録担体と通信を行う通信部と、前記通信部が通信していることを検知する検知部と、前記検知部からの信号により前記表示部の表示状態を変化させる制御部とを有し、前記情報記録担体と前記通信部とが通信している間は前記表示部の表示状態を変化させる情報読取書込装置。
【請求項６】
表示部がバックライトを備えた液晶表示部であり、表示状態がバックライトの色である請求項１から５のいずれか１項に記載の情報読取書込装置。
【請求項７】
情報を表示するバックライトを備えた液晶表示部と、情報記録担体を検知する検知部と、前記液晶表示部のバックライトを変化させる制御部とを有し、前記情報記録担体が検知された後、所定の時間を経過しても前記情報記録担体が検知されている場合に前記液晶表示部のバックライトを点滅する情報読取書込装置。
【請求項８】
液晶表示部に情報読取書込装置の動作状態および／または前記情報読取書込装置を操作する操作者への通知情報を文字情報で表示する請求項６または７に記載の情報読取書込装置。
【請求項９】
音声出力部を備え、情報読取書込装置の動作状態および／または前記情報読取書込装置を操作する操作者への通知情報を音声情報で出力する請求項６から８のいずれか１項に記載の情報読取書込装置。
【発明の詳細な説明】
【０００１】
【発明の属する技術分野】
本発明は、情報読取書込装置の読取状態等の通知に関するものである。
【０００２】
【従来の技術】
従来の情報読取書込手段を有する機器や装置において、情報記録担体等との情報のやりとり等の状態を外部に通知する手段として、発光素子であるＬＥＤを使用するものが知られている（例えば特許文献１参照）。
【０００３】
図３は情報読取手段と外部通知手段とを備えた従来の装置を示しており、１３は情報記録担体であるＰＣカード、１１はＰＣカード１３の挿抜が可能なカードスロット、１２は装置の状態を操作者に通知するための外部通知手段であるインジケータ用のＬＥＤである。
【０００４】
以上のような構成を有する装置の動作について説明する。
【０００５】
装置の操作者がカードスロット１１にＰＣカード１３を挿入すると、装置はカードスロット１１にＰＣカード１３が挿入されたことを検知してＬＥＤ１２を点灯させる。
【０００６】
装置とＰＣカード１３とが双方に情報のやりとりが可能な状態となり、装置とＰＣカード１３との間で情報のやりとりが開始されると、装置はＬＥＤ１２の点灯色を変化させ、操作者に対してカードスロット１１からＰＣカード１３を取り出すことを禁止する旨を通知する。
【０００７】
装置とＰＣカード１３との間で情報のやりとりが完了すると、装置は操作者に対してＰＣカード１３をカードスロット１１から取り出してもよいことを通知するため、ＬＥＤ１２の点灯色をＰＣカード１３が挿入されたときの色に戻す。
【０００８】
【特許文献１】
特開２００２−２０２８４２号公報
【０００９】
【発明が解決しようとする課題】
従来のように、発光素子である小さなＬＥＤ１２のみで装置の状態を外部に通知する場合には、ＬＥＤ１２の発光部分が小さいため、装置の操作者が装置の状態を見誤る、または見落とすという課題を有していた。また、小さいとは言うものの、ＬＥＤ１２の取付け部分を別途装置に設けなくてはならないため、装置の小型化を妨げるという課題を有していた。
【００１０】
本発明は、操作者が装置の状態を判別し易くなるとともに、小型な情報読取書込装置を提供することを目的とする。
【００１１】
【課題を解決するための手段】
上記課題を解決するため、本発明の情報読取書込装置は、情報を表示する表示部と、情報記録担体を検知する検知部と、検知部からの信号により表示部の表示状態を変化させる制御部と、情報記録担体と通信を行う通信部とを備えている。この構成により、情報読取書込装置や情報記録担体の動作状態を表示部に示すことができ、表示部とは別に余分なインジケータ用のＬＥＤを設けることなく、装置や情報記録担体の動作状態を操作者にわかりやすく通知することができる。
【００１２】
また、本発明の情報読取書込装置は、バックライトを備えた液晶表示部と、情報記録担体を検知する検知部と、検知部からの信号により液晶表示部に設けられているバックライトの色を変化させる制御部と、情報記録担体と通信を行う通信部とを備えている。この構成により、情報読取書込装置や情報記録担体の動作状態を、液晶表示部に設けられているバックライトの色により示すことができ、表示部とは別に余分なインジケータ用のＬＥＤを設けることなく、操作者に装置や情報記録担体の動作状態を操作者にわかりやすく通知することができる。
【００１３】
また、情報読取書込装置と前記情報記録担体との間で情報のやりとりが完了した後、一定時間が経過しても検知部が前記情報記録担体を検知している場合には、液晶表示部に設けられているバックライトを点滅させることにより、操作者に対して情報記録担体の返却を促すことができる。
【００１４】
また、本発明の情報読取書込装置は、バックライトを備えた液晶表示部と、情報記録担体を検知する検知部と、検知部からの信号により液晶表示部に設けられているバックライトの色を変化させる制御部と、情報記録担体と通信を行う通信部とを備えている。この構成により、情報読取書込装置や情報記録担体の動作状態を、表示部に表示された文字情報と液晶表示部に設けられているバックライトの色とにより示すことができ、余分なインジケータ用のＬＥＤを設けることなく、装置や情報記録担体の動作状態を操作者にわかりやすく通知することができる。
【００１５】
また、情報読取書込装置と情報記録担体との間で情報のやりとりが完了した後、一定時間が経過しても検知部が情報記録担体を検知している場合には、表示部に文字情報を表示させるとともに液晶表示部に設けられているバックライトを点滅させることにより、操作者に対して情報記録担体の返却を促すことを可能とする。
【００１６】
また、本発明の情報読取書込装置は、バックライトを備えた液晶表示部と、情報記録担体を検知する検知部と、検知部からの信号により液晶表示部に設けられているバックライトの色を変化させる制御部と、情報記録担体と通信を行う通信部と、音声情報を出力する音声出力部とを備えている。この構成により、情報読取書込装置や情報記録担体の動作状態を、音声出力部から発せられる音声情報と、表示部に表示される文字情報と、液晶表示部に設けられているバックライトの色とにより示すことができ、余分なインジケータ用のＬＥＤを設けることなく、装置や情報記録担体の動作状態を操作者にわかりやすく通知することができる。
【００１７】
また、情報読取書込装置と情報記録担体との間で情報のやりとりが完了した後、一定時間が経過しても検知部が情報記録担体を検知している場合には、音声出力部から音声情報を発し、表示部に文字情報を表示させ、かつ液晶表示部に設けられているバックライトを点滅させることにより、操作者に対して情報記録担体の返却を促すことができる。
【００１８】
【発明の実施の形態】
以下、本発明の実施の形態について、図１と図２を用いて説明する。
【００１９】
図１において、１は情報読取書込装置であるＩＣカード暗証番号入力装置、２は情報読取書込装置１の表面の略半分の面積を占める大きさの表示部である液晶表示部、３は液晶表示部２に設けられ赤と緑の２色を発光するバックライト、４はＩＣカード８が挿入されるカードスロット、５はカードスロット４に設けられＩＣカード８が挿入または取り出されたことを検知する検出スイッチ、６は暗証番号の入力やＩＣカード暗証番号入力装置１の機能を選択するためのキーボード、７は操作者９に対してＩＣカード暗証番号入力装置１に関する操作等を誘導するための音声を出力する音声出力部である。また、８は情報記録担体であるＩＣカード、９はＩＣカード８の挿入やＩＣカード暗証番号入力装置１の操作を行う操作者である。
【００２０】
また、ＩＣカード暗証番号入力装置１の概略構成を示す図２において、２は情報を表示する表示部である液晶表示部、２１は液晶表示部の表示状態を変化させる制御部、５は情報記録担体であるＩＣカード８を検出する検知部である検出スイッチ、２２はカードスロット４に挿入されたＩＣカード８が処理可能なカードであるか否かを判定する第１の判定部、２３はカードスロット４に挿入されたＩＣカード８が通信可能なカードであるか否かを判定する第２の判定部、２４はＩＣカード８と通信を行う通信部、２５はＩＣカード８との通信を検知する通信検知部である。
【００２１】
以上のように構成されたＩＣカード暗証番号入力装置１とＩＣカード８を使用した決済処理時の動作と運用について説明する。
【００２２】
先ず操作者９は、ＩＣカード暗証番号入力装置１の液晶表示部２に設けられているバックライト３の発光色がカード挿入可能を示す緑色を発色していること、または、液晶表示部２に表示されている「カードを挿入してください」等の文字情報を確認する。ＩＣカード８が挿入可能であること確認した後、操作者９は、所有しているＩＣカード８をカードスロット４に挿入する。
【００２３】
ここで、バックライト３の発光色がＩＣカード８の挿入を許可する緑色ではなくＩＣカード８の挿入を許可しない赤色であった場合には、操作者９はＩＣカード暗証番号入力装置１によりカードスロット４へＩＣカード８を挿入してはならないことを通知されていることを意味する。この場合、操作者９はキーボード６に設けられている取消キー等を操作し、ＩＣカード暗証番号入力装置１の動作状態をＩＣカード８が挿入可能な状態に移行させなければならない。
【００２４】
ＩＣカード８が挿入可能な状態において、操作者９によりＩＣカード８がカードスロット４に挿入され、完全にＩＣカード８がカードスロット４に挿入されたことを検出スイッチ５により検出した場合、ＩＣカード暗証番号入力装置１はＩＣカード８に対して、電源投入、リセット信号解除、ＩＣカード動作用クロック信号供給の順でＩＣカード８の活性化処理を行い、通信部２４を介してＩＣカード８との間で情報のやりとりを開始する。
【００２５】
ここで、ＩＣカード暗証番号入力装置１は、検出スイッチ５でＩＣカード８を検知し、第１の判定部２２で処理可能なＩＣカードであることを判定し、第２の判定部２３で通信可能なＩＣカードであることを判定した場合に、あるいは、第１の判定部２２が処理可能を判定するか、第２の判定部２３が通信可能と判断するかのいずれか一方の判断がされた場合に、制御部２１は、検出スイッチ５および／または第１の判定部２２および／または第２の判定部２３からの信号に基づいてＩＣカード８の取り出し不可を操作者９に通知するため、バックライト３の発光色を緑色から警告色である赤色に変化させる。このように、ＩＣカード暗証番号入力装置１の表面積に対して大きな割合を占める液晶表示部２のバックライト３の発光色を変化させることにより、操作者９はＩＣカード８の取り出しが禁止されていることを容易に知ることができる。
【００２６】
なお、ＩＣカード８が活性化されている状態のままで操作者９が強制的にカードスロット４からＩＣカード８を引き抜いてしまった場合、ＩＣカード８の物理的特性の破壊、内部データの破壊及び破棄を招く原因となり得るため、操作者９への指示は判別し易いものとしておくことが重要である。
【００２７】
また、ＩＣカード暗証番号入力装置１が通信部２４を介してＩＣカード８と通信している場合、通信検知部２５で通信部２４が通信していることを検知し、この通信検知部２５の信号に基づいて制御部２１がバックライト３の発光色を緑色から警告色である赤色に変化させることにより操作者９にカード取り出し不可を通知することもできる。
【００２８】
また、通信部２４にこの通信部２４が通信していることを制御部２１に通知する機能をもたせ、制御部２１はこの通信部２４から通信部２４が通信していることを通知された場合に、バックライト３の発光色を変化させるようにしてもよい。このように、通信部２４に通信していることを制御部２１に通知する機能をもたせる場合は、通信部２４とは別個に設けた上記通信検知部２５を設けなくてもよい。
【００２９】
また、液晶表示部２のバックライト３の発光色を変えることに加えて、液晶表示部２にＩＣカード８の抜き取りを禁止する等の状態を通知する文字情報を表示することや、音声出力７によりＩＣカード８の抜き取りを禁止する等の音声情報を出力することにより、操作者９への通知性をより向上させることができる。
【００３０】
次に、ＩＣカード８を活性化した後の動作について説明する。
【００３１】
ＩＣカード８を活性化した後、ＩＣカード暗証番号入力装置１は操作者９に対して暗証番号の入力を促すため、液晶表示部２に「暗証番号を入力してください」等の文字情報を表示する。そして、この時のバックライト３の発光色は、ＩＣカード８が活性化状態であるため、ＩＣカード８の抜き取りを不可とする赤色を保持している。
【００３２】
液晶表示部２に表示された文字情報を確認した操作者９は、キーボード６を使用して決済処理用の暗証番号をＩＣカード暗証番号入力装置１に入力する。入力された暗証番号はＩＣカード暗証番号入力装置１内で暗号化され、ＩＣカード８に情報として伝達される。暗号化された暗証番号を受け取ったＩＣカード８は、内部で復号化して暗証番号の認証作業を行う。
【００３３】
ＩＣカード８は暗証番号が正常であることを認識すると、ＩＣカード暗証番号入力装置１に暗証番号が正しいことを情報として伝達し、決済処理の続行を指示する。一方、暗証番号が正しくないことを認識すると、ＩＣカード暗証番号入力装置１に暗証番号が正しくないことを情報として伝達する。この場合、ＩＣカード暗証番号入力装置１は操作者９に対して暗証番号が不正であることを液晶表示部２に表示して通知し、再度暗証番号の入力を促す文字情報を液晶表示部２に表示する。暗証番号の入力処理が規定されている回数だけ繰り返され、規定回数を超えた場合には、ＩＣカード暗証番号入力装置１は決済処理を中断するとともにＩＣカード８に対し非活性処理を行い、バックライト３の発光色を赤色から緑色に変化させる。また、液晶表示部２にＩＣカード８をカードスロット４から抜き取ることを指示する文字情報を表示し、操作者９に対してＩＣカード８の抜き取り操作を促す。
【００３４】
暗証番号が正しいと認識され、決済処理が正常に完了した場合には、ＩＣカード暗証番号入力装置１はＩＣカード８に対して非活性処理を行い、バックライト３の発光色を赤色からカード抜き取り可能を示す緑色に変化させる。また、液晶表示部２にＩＣカード８をカードスロット４から抜き取ることを指示する「カードをお取りください」等の文字情報を表示し、操作者９にＩＣカード８の抜き取り操作を促す。バックライト３の発光色や液晶表示部２に表示される文字情報を確認した操作者９は、ＩＣカード８をカードスロット４から抜き取る。
【００３５】
ここで、バックライト３の発光色が赤色から緑色に変化して一定時間が経過しても、操作者９によるＩＣカード８の抜き取り操作が行われない場合には、ＩＣカード暗証番号入力装置１が検出スイッチ５によりＩＣカード８がカードスロット４に挿入されたままの状態であることを検知し、バックライト３の発光を点滅させる。併せて、音声出力部７を使用して、ＩＣカード８が挿入されたままの状態である旨の音声を発することにより、ＩＣカード８の抜き取り操作を操作者９に促すことができる。
【００３６】
以上のように、本実施の形態によれば、ＩＣカード暗証番号入力装置１やＩＣカード８の動作状態を、音声出力部７により出力される音声情報や液晶表示部２に表示される文字情報や液晶表示部２に設けられているバックライト３の発光色により示すことができる。これにより、操作者９に対してＩＣカード暗証番号入力装置１やＩＣカード８の動作状態をわかりやすく通知することができる。
【００３７】
【発明の効果】
以上のように、本発明によれば、情報読取書込装置の動作状態により情報読取書込装置に設けられた表示部の表示状態を変化させることで、操作者に情報読取書込装置の動作状態をわかりやすく通知し、情報読取書込装置の誤操作等を抑制することができる。
【００３８】
また、表示部とは別個に装置の動作状態等を示す表示手段を設ける必要がないで、装置の小型化を実現することができる。
【図面の簡単な説明】
【図１】本発明の情報読取書込装置を含む実施の形態における概略構成図
【図２】本発明の情報読取書込装置の実施の形態における概略構成図
【図３】外部通知手段を有する従来の装置の概略構成図
【符号の説明】
１  ＩＣカード暗証番号入力装置
２  液晶表示部
３  バックライト
４  カードスロット
５  検出スイッチ
６  キーボード
７  音声出力部
８  ＩＣカード
９  操作者
１１  カードスロット
１２  ＬＥＤ
１３  ＰＣカード
２１  制御部
２２  第１の判定部
２３  第２の判定部
２４  通信部
２５  通信検知部
【図１】
2004171347.tif 000003
【図２】
2004171347.tif 000004
【図３】
2004171347.tif 000005